(57)【要約】  【課題】モノクロ出力用の画像データおよびカラー出力用の画像データのいずれを出力するかを好適に決定して、所望の出力画像を得る。  【解決手段】スキャナ２で読み取った原稿の画像データに対して、カラー画像処理部４１によるカラー出力用の画像データを生成する処理と、モノクロ変換部４２およびモノクロ画像処理部４３によるモノクロ出力用の画像データを生成する処理とを並行して行う。カラー出力用の画像データに基づく画像およびモノクロ出力用の画像データに基づく画像を、操作表示パネル５の表示部５１に同時に表示（サムネイル表示）させ、選択された画像データをメモリ４４から出力部３に出力する。【選択図】        図１
2005303835.tif 000002
【特許請求の範囲】
【請求項１】
入力された画像データからモノクロ出力用の画像データを生成する処理を行うモノクロ画像処理手段と、
上記モノクロ画像処理手段による処理と並行して、入力された画像データからカラー出力用の画像データを生成する処理を行うカラー画像処理手段と、
上記モノクロ画像処理手段によって生成されたモノクロ出力用の画像データに基づく画像、および上記カラー画像処理手段によって生成されたカラー出力用の画像データに基づく画像を表示可能な表示手段と、
上記表示手段によって画像が表示された後に、モノクロ出力用の画像データおよびカラー出力用の画像データのいずれを出力するかを決定するための出力決定手段とを含むことを特徴とする画像処理装置。
【請求項２】
上記表示手段は、モノクロ出力用の画像データに基づく画像およびカラー出力用の画像データに基づく画像を同時に表示可能であることを特徴とする請求項１記載の画像処理装置。
【請求項３】
原稿の画像を読み取るための原稿読取部と、
上記原稿読取部で読み取られた原稿の画像データからモノクロ出力用の画像データを生成する処理を行うモノクロ画像処理手段と、
上記モノクロ画像処理手段による処理と並行して、上記原稿読取部で読み取られた原稿の画像データからカラー出力用の画像データを生成する処理を行うカラー画像処理手段と、
上記モノクロ画像処理手段によって生成されたモノクロ出力用の画像データと、上記カラー画像処理手段によって生成されたカラー出力用の画像データとを個別に記憶する記憶部と、
上記モノクロ画像処理手段によって生成されたモノクロ出力用の画像データに基づく画像、および上記カラー画像処理手段によって生成されたカラー出力用の画像データに基づく画像を表示可能な表示手段と、
上記表示手段によって画像が表示された後に、上記記憶部に記憶されているモノクロ出力用の画像データおよびカラー出力用の画像データのいずれを出力するかを決定するための出力決定手段とを含むことを特徴とする原稿読取装置。
【発明の詳細な説明】
【技術分野】
【０００１】
この発明は、入力された画像データに対して画像処理を施す画像処理装置および原稿読取装置に関する。
【背景技術】
【０００２】
スキャナで読み取った原稿の画像データ（レッド（Ｒ）、グリーン（Ｇ）およびブルー（Ｂ）の各濃度値データ）に基づいて、シアン（Ｃ）、マゼンタ（Ｍ）、イエロー（Ｙ）およびブラック（Ｋ）の各色トナーを用紙に重ね合わせることによって、いわゆる電子写真方式によりフルカラー画像を出力することができる画像形成装置が知られている（たとえば、特許文献１参照）。
【０００３】
この種の画像形成装置の中には、スキャナで読み取った原稿の画像データに基づいて、カラー出力用の画像データを生成する処理（カラー画像処理）およびモノクロ出力用の画像データを生成する処理（モノクロ画像処理）のいずれかを選択して実行することができるようになっているものがある。ユーザは、原稿の読み取り開始前に、たとえば画像形成装置に備えられた操作部を操作することにより、カラー画像処理およびモノクロ画像処理のいずれを実行するかを予め選択することとなる。その後、原稿の読み取り開始のための操作が行われると、スキャナによって原稿の画像が読み取られ、カラー画像処理を実行するよう選択されている場合には、原稿の画像データが、シアン（Ｃ）、マゼンタ（Ｍ）、イエロー（Ｙ）およびブラック（Ｋ）の各濃度値データに変換され、モノクロ画像処理を実行するよう選択されている場合には、原稿の画像データが、ブラック（Ｋ）の濃度値データに変換される。そして、カラー画像処理が施された後の画像データ（カラー出力用の画像データ）またはモノクロ画像処理が施された後の画像データ（モノクロ出力用の画像データ）に基づいて用紙にトナー像が転写されることにより、画像形成が行われる。
【特許文献１】特開平１０−７０６６５号公報
【発明の開示】
【発明が解決しようとする課題】
【０００４】
しかしながら、上記従来技術では、カラー画像処理およびモノクロ画像処理のいずれを実行するかを原稿の読み取り開始前に選択するので、その後に行われる画像形成によって用紙に転写される画像処理後の画像をユーザが確認することはできず、所望の出力画像が得られない場合がある。
たとえば、原稿画像に薄い黄色の画像が含まれている場合などには、モノクロ画像処理を行うと、薄い黄色の画像部分が白色に変換されるおそれがある。このような場合には、ユーザは、モノクロ画像処理を行って薄い黄色の画像部分が白色に変換されたモノクロ画像を用紙に形成させるよりも、カラー画像処理を行って忠実に再現されたカラー画像を用紙に形成させることを望む場合がある。
【０００５】
この発明は、かかる背景のもとでなされたもので、モノクロ出力用の画像データおよびカラー出力用の画像データのいずれを出力するかを好適に決定して、所望の出力画像を得ることができる画像処理装置および原稿読取装置を提供することを目的とする。
【課題を解決するための手段】
【０００６】
上記目的を達成するための請求項１記載の発明は、入力された画像データからモノクロ出力用の画像データを生成する処理を行うモノクロ画像処理手段（４２，４３）と、上記モノクロ画像処理手段による処理と並行して、入力された画像データからカラー出力用の画像データを生成する処理を行うカラー画像処理手段（４１）と、上記モノクロ画像処理手段によって生成されたモノクロ出力用の画像データに基づく画像、および上記カラー画像処理手段によって生成されたカラー出力用の画像データに基づく画像を表示可能な表示手段（５１，５１１，５１２）と、上記表示手段によって画像が表示された後に、モノクロ出力用の画像データおよびカラー出力用の画像データのいずれを出力するかを決定するための出力決定手段（５２２）とを含むことを特徴とする画像処理装置（１）である。
【０００７】
なお、括弧内の英数字は、後述の実施形態における対応構成要素などを表す。以下、この項において同じ。
この構成によれば、表示手段により表示されたモノクロ出力用の画像データに基づく画像およびカラー出力用の画像データに基づく画像を確認した後、いずれの画像データを出力するかを出力決定手段で決定することができる。すなわち、表示手段により表示されたモノクロ出力用の画像データに基づく画像が所望の画像でない場合には、カラー出力用の画像データを出力して、そのカラー出力用の画像データに基づく画像を得ることができる。したがって、モノクロ出力用の画像データおよびカラー出力用の画像データのいずれを出力するかを好適に決定して、所望の出力画像を得ることができる。
【０００８】
特に、モノクロ画像処理手段による処理（モノクロ画像処理）とカラー画像処理手段による処理（カラー画像処理）とが並行して行われるので、出力決定手段により出力する画像データを決定する際には、モノクロ出力用の画像データおよびカラー出力用の画像データの双方がすでに生成されている。したがって、出力決定手段によって決定された画像データ（モノクロ出力用の画像データまたはカラー出力用の画像データ）を直ちに出力することができるので、カラー画像処理およびモノクロ画像処理のいずれを実行するかを決定してから画像処理を行うような構成と比較して、画像データの出力に要する時間を短縮できる。
【０００９】
請求項２記載の発明は、上記表示手段（５１，５１１，５１２）は、モノクロ出力用の画像データに基づく画像およびカラー出力用の画像データに基づく画像を同時に表示可能であることを特徴とする請求項１記載の画像処理装置（１）である。
この構成によれば、表示手段に同時に表示されたモノクロ出力用の画像データに基づく画像とカラー出力用の画像データに基づく画像とを見比べて、モノクロ出力用の画像データおよびカラー出力用の画像データのいずれを出力するかを決定することができるので、所望の出力画像を得ることができるか否かをより良好に判断することができる。
【００１０】
請求項３記載の発明は、原稿の画像を読み取るための原稿読取部（２）と、上記原稿読取部で読み取られた原稿の画像データからモノクロ出力用の画像データを生成する処理を行うモノクロ画像処理手段（４２，４３）と、上記モノクロ画像処理手段による処理と並行して、上記原稿読取部で読み取られた原稿の画像データからカラー出力用の画像データを生成する処理を行うカラー画像処理手段（４１）と、上記モノクロ画像処理手段によって生成されたモノクロ出力用の画像データと、上記カラー画像処理手段によって生成されたカラー出力用の画像データとを個別に記憶する記憶部（４４，４４１，４４２）と、上記モノクロ画像処理手段によって生成されたモノクロ出力用の画像データに基づく画像、および上記カラー画像処理手段によって生成されたカラー出力用の画像データに基づく画像を表示可能な表示手段（５１，５１１，５１２）と、上記表示手段によって画像が表示された後に、上記記憶部に記憶されているモノクロ出力用の画像データおよびカラー出力用の画像データのいずれを出力するかを決定するための出力決定手段（５２２）とを含むことを特徴とする原稿読取装置である。
【００１１】
この構成によれば、請求項１記載の発明と同様の効果を奏する原稿読取装置を提供することができる。したがって、モノクロ出力用の画像データおよびカラー出力用の画像データのいずれを出力するかを好適に決定して、所望の出力画像を得ることができる。
【発明を実施するための最良の形態】
【００１２】
以下には、図面を参照して、この発明の実施形態について具体的に説明する。
図１は、この発明の一実施形態に係る画像処理装置としての画像処理部１を備えたデジタルカラー複写機の電気的構成を示すブロック図である。
図１を参照して、このデジタルカラー複写機は、スキャナ２で読み取った原稿の画像データ（レッド（Ｒ）、グリーン（Ｇ）およびブルー（Ｂ）の各濃度値データ）に基づいて、出力部３でシアン（Ｃ）、マゼンタ（Ｍ）、イエロー（Ｙ）およびブラック（Ｋ）の各色トナーを用紙に重ね合わせることによって、いわゆる電子写真方式によりフルカラー画像を形成することができるものである。
【００１３】
スキャナ２には、原稿に向けて光を照射するための光源と、原稿からの反射光を受光してアナログ信号を出力するＣＣＤイメージセンサとが備えられている（図示せず）。ＣＣＤイメージセンサは、複数個のＣＣＤ素子が一直線状に配列されることにより構成されていて、これらのＣＣＤ素子の配列方向の電気的な主走査と、光源の原稿に対する相対的な移動による副走査とによって、原稿画像の読み取りが達成される。ＣＣＤイメージセンサから出力されたＲＧＢ各色の画像データ（アナログ信号）は、Ａ／Ｄ変換部４に入力され、このＡ／Ｄ変換部４でそれぞれ多値（たとえば、「０」〜「２５５」）のデジタルデータに変換された後、画像処理部１に入力される。
【００１４】
画像処理部に入力された画像データは、カラー画像処理部４１とモノクロ変換部４２とに与えられる。カラー画像処理部４１は、入力されたＲＧＢ各色の画像データからカラー出力用の画像データを生成する処理（カラー画像処理）を行うものである。すなわち、カラー画像処理部４１では、入力されたＲＧＢ各色の画像データに基づいて、ＣＭＹＫ各色の画像データ（たとえば、それぞれ「０」〜「２５５」の濃度値データ）が生成されるとともに、その画像データに基づいて出力部３で出力されるカラー画像を適正化するための各種画像処理が行われるようになっている。
【００１５】
モノクロ変換部４２は、入力されたＲＧＢ各色の画像データに基づいて、ブラック（Ｋ）の画像データ（たとえば、「０」〜「２５５」の濃度値データ）を生成するものである。モノクロ変換部４２で生成されたブラックの画像データは、モノクロ画像処理部４３に入力される。モノクロ変換部４２およびモノクロ画像処理部４３は、入力されたブラックの画像データからモノクロ出力用の画像データを生成する処理（モノクロ画像処理）を行うものである。すなわち、モノクロ画像処理部４３では、モノクロ変換部４２から入力されたブラックの画像データに対して、その画像データに基づいて出力部３で出力されるモノクロ画像を適正化するための各種画像処理が行われるようになっている。
【００１６】
このデジタルカラー複写機には、各種入力操作や各種表示を行うための操作表示パネル５が備えられている。操作表示パネル５には、表示部５１および操作部５２とが備えられている。この実施形態では、カラー画像処理部４１で生成されたカラー出力用の画像データに基づく画像と、モノクロ変換部４２およびモノクロ画像処理部４３で生成されたモノクロ出力用の画像データに基づく画像とを、縮小して操作表示パネル５の表示部５１に同時に表示させることにより、これらの画像をサムネイル表示（一覧表示）することができるようになっている。
【００１７】
カラー画像処理部４１で生成されたカラー出力用の画像データは、メモリ４４に備えられたカラー画像データ記憶部４４１に記憶されるとともに、カラーサムネイル表示処理部４５に入力される。カラーサムネイル表示処理部４５は、入力されたカラー出力用の画像データ（ＣＭＹＫ各色の画像データ）からＲＧＢ各色の画像データを生成し、その画像データに基づく画像（カラー画像）を操作表示パネル５の表示部５１に表示させる。この操作表示パネル５の表示部５１に表示されるカラー画像は、カラー画像処理部４１によるカラー画像処理後の画像データに基づく画像であるので、カラー画像データ記憶部４４１に記憶されたカラー出力用の画像データに基づいて出力部３で出力されるカラー画像を忠実に再現できる。
【００１８】
一方、モノクロ変換部４２およびモノクロ画像処理部４３で生成されたモノクロ出力用の画像データは、メモリ４４に備えられたモノクロ画像データ記憶部４４２に記憶されるとともに、モノクロサムネイル表示処理部４６に入力される。モノクロサムネイル表示処理部４６は、入力されたモノクロ出力用の画像データ（ブラックの画像データ）からＲＧＢ各色の画像データを生成し、その画像データに基づく画像（モノクロ画像）を操作表示パネル５の表示部５１に表示させる。この操作表示パネル５の表示部５１に表示されるモノクロ画像は、モノクロ変換部４２およびモノクロ画像処理部４３によるモノクロ画像処理後の画像データに基づく画像であるので、モノクロ画像データ記憶部４４２に記憶されたモノクロ出力用の画像データに基づいて出力部３で出力されるモノクロ画像を忠実に再現できる。
【００１９】
その後、ユーザは、操作表示パネル５の表示部５１にサムネイル表示されているカラー画像およびモノクロ画像を確認し、操作表示パネル５を操作して、カラー出力およびモノクロ出力のいずれを実行するかを決定することとなる。カラー出力およびモノクロ出力のいずれを実行するかの決定内容を表す信号は、操作表示パネル５から画像処理部１に入力される。そして、カラー出力を実行すると決定された場合には、メモリ４４のカラー画像データ記憶部４４１に記憶されているカラー出力用の画像データが出力部３に出力され、モノクロ出力を実行すると決定された場合には、メモリ４４のモノクロ画像データ記憶部４４２に記憶されているモノクロ出力用の画像データが出力部３に出力される。
【００２０】
出力部３は、たとえば、感光体、メインチャージャ、現像装置および転写装置などを含む周知の構成である。すなわち、画像形成時には、略円筒状の感光体の表面がメインチャージャによって一様に帯電され、この感光体の表面にメモリ４４から入力された画像データ（カラー出力用の画像データまたはモノクロ出力用の画像データ）に基づいて光が照射されることにより、感光体の表面にいわゆる静電潜像が形成される。静電潜像が形成された感光体の表面には、現像装置によりトナー（カラー出力の場合はＣＭＹＫの各色トナー、モノクロ出力の場合はブラックのトナー）が選択的に付着され、トナー像が形成される。そして、感光体の表面に形成されたトナー像は、転写装置の働きによって用紙に転写される。
【００２１】
出力部３は、１つの感光体の表面に各色トナーを順次付着させるような構成であってもよいし、各色トナーに対応して設けられた複数（たとえば、４つ）の感光体の表面に各色トナーを付着させるような構成であってもよい。
図２は、操作表示パネル５の外観構成を示す平面図であって、サムネイル表示を行っているときの状態を示している。
【００２２】
図２に示すように、操作表示パネル５の右端部には、画像形成を行う用紙の部数（セット枚数）を設定する際などに押操作されるテンキー５２１と、画像形成動作を開始させる際などに押操作されるスタートボタン５２２と、実行中の画像形成動作を停止させる際などに押操作されるストップボタン５２３とを含む操作部５２が配置されている。
操作表示パネル５の中央部から左端部にかけての部分には、たとえば、タッチパネル付きのカラー液晶表示器により構成された表示部５１が配置されている。サムネイル表示を行っている状態では、表示部５１の左側部分に互いに近接配置されたカラーサムネイル表示部５１１およびモノクロサムネイル表示部５１２に、それぞれ、カラーサムネイル表示処理部４５から出力されたカラー出力用の画像データに基づく画像（カラー画像）と、モノクロサムネイル表示処理部４６から出力されたモノクロ出力用の画像データに基づく画像（モノクロ画像）が表示される。
【００２３】
サムネイル表示を行っている状態では、表示部５１には、上記カラーサムネイル表示部５１１およびモノクロサムネイル表示部５１２の他に、カラー出力を実行するよう決定するためのカラー出力決定キー５１３と、モノクロ出力を実行するよう決定するためのモノクロ出力決定キー５１４とが表示される。ユーザは、カラー出力決定キー５１３またはモノクロ出力決定キー５１４にタッチすることにより、これらのキー５１３，５１４による決定操作を行うことができる。カラー出力決定キー５１３およびモノクロ出力決定キー５１４は、カラーサムネイル表示部５１１およびモノクロサムネイル表示部５１２の近傍に、互いに近接配置されることが好ましい。
【００２４】
表示部５１には、その他、使用する用紙のサイズを選択するための用紙サイズ選択キー５１５や、テンキー５２１の操作によって設定されたセット枚数を表示するためのセット枚数表示部５１６などが表示される。用紙サイズ選択キー５１５は、各用紙サイズ（たとえば、日本工業規格（ＪＩＳ）のＡ列３番（Ａ３）、Ａ列４番（Ａ４）、Ｂ列５番（Ｂ５）など）に対応する複数のキーを含み、ユーザは、これらの複数のキーのいずれかにタッチすることにより、使用する用紙のサイズを選択することができる。
【００２５】
図３は、このデジタルカラー複写機において画像形成を行う際に行われる制御の流れを示すフローチャートである。
図３を参照して、スタートボタン５２２が押操作されることにより画像形成開始の指示があった場合には（ステップＳ１でＹＥＳ）、まず、スキャナ２により原稿の画像が読み取られ（ステップＳ２）、カラー画像処理部４１によるカラー画像処理と、モノクロ変換部４２およびモノクロ画像処理部４３によるモノクロ画像処理とが並行して実行される。これにより、カラー出力用の画像データが、メモリ４４のカラー画像データ記憶部４４１に記憶されるとともに、カラーサムネイル表示処理部４５に入力され、モノクロ出力用の画像データが、メモリ４４のモノクロ画像データ記憶部４４２に記憶されるとともに、モノクロサムネイル表示処理部４６に入力される。
【００２６】
その後、カラーサムネイル表示処理部４５によってカラー出力用の画像データに基づくカラー画像が表示部５１のカラーサムネイル表示部５１１に表示されるとともに、モノクロサムネイル表示処理部４６によってモノクロ出力用の画像データに基づくモノクロ画像が表示部５１のモノクロサムネイル表示部５１２に表示されることにより、サムネイル表示が行われる（ステップＳ３）。
【００２７】
操作表示パネル５の表示部５１におけるサムネイル表示中は、カラー出力決定キー５１３またはモノクロ出力決定キー５１４が操作されたか否かが監視される（ステップＳ４）。そして、カラー出力決定キー５１３が操作された場合には（ステップＳ４でＹＥＳ）、カラー出力を実行するよう設定され（ステップＳ５）、モノクロ出力決定キー５１４が操作された場合には（ステップＳ４でＮＯ）、モノクロ出力を実行するよう設定される（ステップＳ６）。
【００２８】
このようにして、カラー出力およびモノクロ出力のいずれを実行するかが設定された後、再びスタートボタン５２２が押操作されると（ステップＳ７でＹＥＳ）、その設定内容に応じて用紙に対する画像形成が行われる（ステップＳ８）。すなわち、カラー出力を実行すると設定されている場合には、メモリ４４のカラー画像データ記憶部４４１に記憶されているカラー出力用の画像データが読み出されて出力部３に与えられ、ＣＭＹＫの各色トナーを用いて、その画像データに基づくカラー画像が用紙に形成される。一方、モノクロ出力を実行すると設定されている場合には、メモリ４４のモノクロ画像データ記憶部４４２に記憶されているモノクロ出力用の画像データが読み出されて出力部３に与えられ、ブラックのトナーを用いて、その画像データに基づくモノクロ画像が用紙に形成される。
【００２９】
この実施形態では、表示部５１のモノクロサムネイル表示部５１２に表示されたモノクロ画像およびカラーサムネイル表示部５１１に表示されたカラー画像を確認した後、いずれの画像データ（モノクロ出力用の画像データまたはカラー出力用の画像データ）を出力するかをモノクロ出力決定キー５１４またはカラー出力決定キー５１３を操作して決定することができる。すなわち、表示部５１のモノクロサムネイル表示部５１２に表示されたモノクロ画像が所望の画像でない場合には、カラー出力用の画像データを出力して、そのカラー出力用の画像データに基づくカラー画像を得ることができる。したがって、モノクロ出力用の画像データおよびカラー出力用の画像データのいずれを出力するかを好適に決定して、所望の出力画像を得ることができる。
【００３０】
特に、モノクロ画像処理とカラー画像処理とが並行して行われるので、モノクロ出力決定キー５１４またはカラー出力決定キー５１３により出力する画像データを決定する際には、モノクロ出力用の画像データおよびカラー出力用の画像データの双方がすでに生成されている。したがって、モノクロ出力決定キー５１４またはカラー出力決定キー５１３の操作によって決定された画像データ（モノクロ出力用の画像データまたはカラー出力用の画像データ）を直ちに出力することができるので、カラー画像処理およびモノクロ画像処理のいずれを実行するかを決定してから画像処理を行うような構成と比較して、画像データの出力に要する時間を短縮できる。
【００３１】
また、この実施形態では、表示部５１に同時に表示（サムネイル表示）されたモノクロ画像とカラー画像とを見比べて、モノクロ出力用の画像データおよびカラー出力用の画像データのいずれを出力するかを決定することができるので、所望の出力画像を得ることができるか否かをより良好に判断することができる。
この発明は、以上の実施形態の内容に限定されるものではなく、請求項記載の範囲内において種々の変更が可能である。
【００３２】
たとえば、モノクロ出力用の画像データに基づく画像およびカラー出力用の画像データに基づく画像は、表示部５１にサムネイル表示されるような構成に限らず、操作表示パネル５（表示部５１または操作部５２）の操作によって表示部５１に切替表示できるような構成であってもよい。
表示部５１および操作部５２は、操作表示パネル５に一体的に配置された構成に限らず、別個に配置されていてもよい。
【００３３】
表示部５１は、タッチパネルを備えていないカラー液晶表示器により構成されるものであってもよい。この場合、表示部５１に表示されたモノクロ出力用の画像データに基づく画像およびカラー出力用の画像データに基づく画像を確認した後、操作部５２を操作することにより、モノクロ出力用の画像データおよびカラー出力用の画像データのいずれを出力するかを決定することができるようになっていてもよい。
【００３４】
上記実施形態では、デジタルカラー複写機を例にとって説明したが、この発明は、デジタルカラー複写機に限らず、ファクシミリやプリンタなどの他の画像形成装置にも適用可能であるし、スキャナ装置などの原稿読取装置にも適用可能である。また、画像処理部１が装置内に備えられたような構成に限らず、外部から入力された画像データに対して画像処理を行う画像処理装置を個別に構成することも可能である。
【００３５】
この発明をプリンタに適用した場合には、たとえば、デジタルカメラで撮影した画像のデータをプリンタに直接入力できるような構成となっていてもよい。この場合、デジタルカメラから直接入力された画像データに対してモノクロ画像処理およびカラー画像処理を並行して行い、それらの画像処理後の画像データに基づく画像をサムネイル表示した後、ユーザによって選択された画像データ（モノクロ出力用の画像データまたはカラー出力用の画像データ）に基づく画像が出力されるようになっていてもよい。
【図面の簡単な説明】
【００３６】
【図１】この発明の一実施形態に係る画像処理装置としての画像処理部を備えたデジタルカラー複写機の電気的構成を示すブロック図である。
【図２】操作表示パネルの外観構成を示す平面図であって、サムネイル表示を行っているときの状態を示している。
【図３】このデジタルカラー複写機において画像形成を行う際に行われる制御の流れを示すフローチャートである。
【符号の説明】
【００３７】
１  画像処理部
２  スキャナ
４１  カラー画像処理部
４２  モノクロ変換部
４３  モノクロ画像処理部
４４  メモリ
４４１  カラー画像データ記憶部
４４２  モノクロ画像データ記憶部
５１  表示部
５１１  カラーサムネイル表示部
５１２  モノクロサムネイル表示部
５２２  スタートボタン
【図１】
2005303835.tif 000003
【図２】
2005303835.tif 000004
【図３】
2005303835.tif 000005